(57)【要約】【課題】外観の良い仕上がりにすることができ、また切粉などが発生せずに作業効率を高めることができ、さらに移設を容易に行うことができる内装材取付具を提供する。【解決手段】建物躯体１の屋内側に内装材３を取り付けるための取付具に関する。建物躯体１に突設される支持枠材５と、支持枠材５に係着される係止枠材６とからなる。支持枠材５は建物躯体１に固定される固定部８と、内装材３を載置するための支持部９と、支持部９に載置された内装材３の下部に係止するための脱落防止部１０と、係止枠材６を係着するための被係着部１１とからなる。係止枠材６には内装材３の上部が係止される係止部１２を形成する。【選択図】図１
2007303075.tif 000002
【特許請求の範囲】
【請求項１】
建物躯体の屋内側に内装材を取り付けるための取付具であって、建物躯体の屋内側に配設される支持枠材と、支持枠材に係着される係止枠材とからなり、支持枠材は建物躯体に固定される固定部と、内装材の端部を支持するための支持部と、支持部に支持された内装材の端部に当接するために支持部の先端側に突設される脱落防止部と、係止枠材を係着するための被係着部とからなり、係止枠材には内装材の端部の屋内側面に当接させる係止部を形成して成ることを特徴とする内装材取付具。
【請求項２】
内装材の側端部に取り付けるための側枠材を備えて成ることを特徴とする請求項１に記載の内装材取付具。
【請求項３】
請求項１又は２に記載の内装材取付具を用いた内装材の取付構造であって、支持枠材の固定部を建物躯体に固定することによって、複数個の支持枠材を建物躯体の屋内側に突設し、対向する支持枠材の間に内装材を差し込むと共に一方の支持枠材の支持部に内装材を当接し、他方の支持枠材の被係着部に係止枠材を係着すると共に係止枠材の係止部を内装材の端部の屋内側面に当接して成ることを特徴とする内装材の取付構造。
【発明の詳細な説明】
【技術分野】
【０００１】
本発明は、外壁及び間仕切壁の屋内側面（室内面）に施す吸音性、断熱性、意匠性のある内装材を用い、その内装材を保持するための内装材取付具及び内装材の取付構造に関するものである。より詳しくは、内装材を保持するための枠材を金属製薄板で作り、ビスなどの締結部品及び工具を用いることなく、組み立てることができる形状、構成とした吸音、断熱、仕上げ、内装工法に関するものである。
【背景技術】
【０００２】
従来より、壁の内装の表面材である内装材としてグラスウール（ＧＷ）などの吸音材を配置して吸音することが行われている（例えば、特許文献１参照）。
【０００３】
図１４に現地築造工法を用いた内装材の取付構造を示す。符号３０は壁パネルであって、上下に複数枚の壁パネル３０、３０…を並設することにより外壁２９が形成されている。外壁２９は柱や縦胴縁などの建物躯体３６の屋外側に形成されており、上下に隣接する壁パネル３０、３０は上側の壁パネル３０の下端に設けた嵌合凸部３１と下側の壁パネル３０の上端に設けた嵌合凹部２８とを嵌合することにより接続されている。また、内装材３２としては有孔ボードを用いている。
【０００４】
そして、内装材３２を取り付けるにあたっては、まず、木製や鉄製の桟材３５を建物躯体３６の屋内側に取り付ける。桟材３５は隣り合う建物躯体３６、３６の間に架設されるものであり、複数本の桟材３５、３５…を例えば、４５０ｍｍ間隔で上下に並べて建物躯体３６にビス止めなどで固定する。次に、上下に隣り合う桟材３５、３５の間にグラスウールマット３７を充填する。このグラスウールマット３７は隣り合う建物躯体３６、３６の間に充填してもよい。次に、桟材３５及びグラスウールマット３７の表面側（屋内側）に有孔ボードである内装材３２を取り付ける。内装材３２は釘やビス、接着剤などで桟材３５に取り付ける。
【０００５】
しかし、上記の従来例では、内装材３２を釘やビスで取り付けた場合、釘やビスが内装材３２の表面に露出するために、外観の良い内装仕上げにはならないという問題があった。また、施工に手間がかかり移設が難しいという問題があった。さらに、施工現場でほこりや鋸屑、切粉、廃棄物などが出て生産・作業を止めなければならず、作業効率が低いという問題があった。
【特許文献１】特開２００５−１４６６５１号公報
【発明の開示】
【発明が解決しようとする課題】
【０００６】
本発明は上記の点に鑑みてなされたものであり、外観の良い仕上がりにすることができ、また切粉などが発生せずに作業効率を高めることができ、さらに移設を容易に行うことができる内装材取付具及び内装材の取付構造を提供することを目的とするものである。
【課題を解決するための手段】
【０００７】
本発明は、建物躯体１の屋内側に内装材３を取り付けるための取付具４であって、建物躯体１の屋内側に配設される支持枠材５と、支持枠材５に係着される係止枠材６とからなり、支持枠材５は建物躯体１に固定される固定部８と、内装材３の端部を支持するための支持部９と、支持部９に支持された内装材３の端部に当接するために支持部９の先端側に突設される脱落防止部１０と、係止枠材６を係着するための被係着部１１とからなり、係止枠材６には内装材３の端部の屋内側面に当接させる係止部１２を形成して成ることを特徴とするものである。
【０００８】
本発明にあっては、内装材３の側端部に取り付けるための側枠材１３を備えることができる。
【０００９】
また、本発明は、請求項１又は２に記載の内装材取付具４を用いた内装材３の取付構造であって、支持枠材５の固定部８を建物躯体１に固定することによって、複数個の支持枠材５を建物躯体１の屋内側に突設し、対向する支持枠材５、５の間に内装材３を差し込むと共に一方の支持枠材５の支持部９に内装材３の端部を当接し、他方の支持枠材５の被係着部１１に係止枠材６を係着すると共に係止枠材６の係止部１２を内装材３の端部の屋内側面に当接して成ることを特徴とするものである。
【発明の効果】
【００１０】
本発明では、内装材３を支持枠材５と係止枠材６との係止により建物躯体３６に取り付けるので、ビスで取り付ける場合のような切粉が発生せず、また、ドライバのような工具を使用しないで施工することができ、作業効率を高めることができて工期の短縮を図ることができるものであり、生産・作業をしながら内装材３を取り付けることができるものである。また、内装材３と支持枠材５と係止枠材６との係止を解除することにより、これらをバラバラにして再使用することができ、移設を容易に行うことができるものである。さらに、塗装鋼板や化粧グラスウールボードなどの各種の内装材３を使用することができ、外観の良い仕上がりにすることができるものである。
【発明を実施するための最良の形態】
【００１１】
以下、本発明を実施するための最良の形態を説明する。
【００１２】
図２に示すように、本発明の内装材取付具４は、支持枠材５と係止枠材６及び側枠材１３とを備えて形成するものであり、内装材取付具４で内装材３の上端部と下端部及び側端部を係止することにより内装材３を取り付けて施工するものである。支持枠材５と係止枠材６及び側枠材１３はいずれも薄い金属板を折り曲げ加工して形成されるものである。この金属板としては、例えば、０．２〜２．０ｍｍ程度の塗装鋼板、アルミニウム板、ステンレス鋼板（ＳＵＳ）などを用いることができる。
【００１３】
図３（ａ）に示すように、支持枠材５は横方向に長尺に形成されるものであって、平板状の支持部９と、支持部９の後端部から上方に向かって突設される断面略Ｌ字状の固定部８と、支持部９の前端部から略鉛直上方に向かって突設される断面略Ｕ字状の脱落防止片１０と、脱落防止片１０の下端部からその前面側に向かって折り返し屈曲した被係着部１１とを備えて形成されている。支持部９の前後方向の寸法は側枠材１３の前後方向の寸法（前片１６から後片１７までの寸法）と略同等である。固定部８の後端部には斜め下方に向かって折り曲げた係合片５１が設けられている。
【００１４】
図３（ｂ）に示すように、係止枠材６は略平板状で横方向に長尺に形成されるものであるが、その上端には後面側に向かって折り返し屈曲した係着部１４が形成されていると共に係止枠材６の下端には後面側に向かって折り返し屈曲した係止部１２が形成されている。また、係止枠材６の上部には屈曲部１５が形成されており、屈曲部１５よりも下側の部分は屈曲部１５よりも上側の部分よりもやや後方に位置している。従って、係着部１４よりも係止部１２の方が後方に位置している。
【００１５】
図３（ｃ）に示すように、側枠材１３は縦方向（上下方向）に長尺に形成されるものであって、前片１６と後片１７及び側片１８とで断面略コ字状に形成されている。
【００１６】
本発明において内装材３としては、自立性がある平板状（ボード状）のものであれば何でも用いることができ、例えば、化粧グラスウールボード、塗装鋼板やＳＵＳやアルミニウム製の有孔ボード（パンチングメタルやメッシュ）などを用いることができる。また、有孔ボードとグラスウールマットの積層体、金属製メッシュと不織布とグラスウールマットの積層物なども内装材３として用いることができる。このように本発明では従来から内装材として用いられている各種の内装材３が使用可能であり、断熱性や吸音性などの所望の機能や意匠性に応じて外観の良い内装仕上げにすることができるものである。
【００１７】
上記の内装材取付具４は、建物躯体１の屋内側に内装材３を取り付けるための取付具であって、建物躯体１に突設される支持枠材５と、支持枠材５に係着される係止枠材６とからなり、支持枠材５は建物躯体１に固定される固定部８と、内装材３を載置するための支持部９と、支持部９に載置された内装材３の下部に係止するための脱落防止部１０と、係止枠材６を係着するための被係着部１１とからなり、係止枠材６には内装材３の上部が係止される係止部１２を備えるものである。
【００１８】
そして、上記内装材取付具４を用いて横胴縁などの建物躯体１の屋内側に内装材３を取り付けるにあたっては、支持枠材５の固定部８を建物躯体１に固定することによって、複数個の支持枠材５を建物躯体１の屋内側に突設し、上下に対向する支持枠材５、５の間に内装材３を差し込むと共に下側の支持枠材５の支持部９に内装材３を載置し、上側の支持枠材５の被係着部１１に係止枠材６を係着すると共に係止枠材６の係止部１２で内装材３の上部を係止して内装材３を取り付けるものである。
【００１９】
つまり、上記内装材取付具４を用いて横胴縁などの建物躯体１の屋内側に内装材３を取り付けるにあたって、以下のようにする。
【００２０】
まず、内装材取付具４の支持枠材５の固定部８を建物躯体１に固定することによって、建物躯体１の屋内側に支持枠材５を突設する。建物躯体１は例えばＣ型鋼で形成されており、上面の開口縁部には屋内外方向で並ぶ一対のリップ片１ａ、１ａが突設されており、屋内側のリップ片１ａに固形部８の係合片５１を係合して固定する。支持枠材５は上下に並ぶ建物躯体１、１…のそれぞれに取り付けられる。
【００２１】
また、側枠材１３を内装材３の両方の側端部に上下方向の全長に亘って取り付ける。この場合、前片１６と後片１７と側片１８とで囲まれる空間に内装材３の側端部を差し込むようにする。この側枠材１３は、鉛直方向の力（自重・地震その他の外力）を床に伝達する役目を担う。また、内装材３がグラスウールなどの軟質材料である場合の補強や保護を行うものである。
【００２２】
次に、建物躯体１に取り付けた複数の支持枠材５、５…のうち、上下に隣接して対向する支持枠材５、５の間に、側枠材１３を取り付けた内装材３を挿入する。ここで、内装材３の下端面は下側の支持枠材５の支持部９の上面に載せられると共に内装材３の上端面は上側の支持枠材５の支持部９の下面に当接する。さらに、下側の支持枠材５の脱落防止部１０が内装材３に取り付けた側枠材１３の前片１６の下部の屋内側面及び内装材３の下部の屋内側面に当接することにより、内装材３の下部は横方向の全長に亘って下側の支持枠材５の脱落防止部１０に係止される。このようにして内装材３を略鉛直に立てて配置する。
【００２３】
次に、上記内装材３の直上に位置する支持枠材５の被係着部１１に係止枠材６の係着部１４を係止することによって、支持枠材５に係止枠材６を取り付ける。この係止枠材６の係止部１２は、内装材３に取り付けた側枠材１３の前片１６の上部の屋内側面及び内装材３の上部の屋内側面に当接するものであり、これにより、図１に示すように、内装材３の上部は横方向の全長に亘って係止枠材６に係止されて倒れないように保持される。また、支持枠材５に取り付けられた係止枠材６の係止部１２と建物躯体１の屋内側面との間の寸法は、側枠材１３の前後方向の寸法よりも少し小さくなっているため、係止枠材６のバネ力（スプリングバック力）で側枠材１３を表面側から建物躯体１側へと押さえつけて内装材３のガタツキを防止することができる。そして、この後、支持枠材５と内装材３と係止枠材６との取り付けを上記と同様にして順次行うことによって、複数枚の内装材３を建物躯体１の屋内側に大壁タイプで取り付けることができる。
【００２４】
上記のように本発明では、内装材３を取り付けるにあたって、ネジや釘を全く使用しないので、施工が簡単であり、切粉などが発生せずに清潔である。しかも、上記の施工工程と逆の工程を行うことにより、内装材３を簡単に取り外すことができ、移設を容易に行うことができるものである。また、本発明では、支持枠材５と係止枠材６とを別体で形成し、上下の支持枠材５、５の間に内装材３を建て込んだ後、上側の支持枠材５に係止枠材６を取り付けて係止するものであり、しかも、支持枠材５において、脱落防止部１０や被係着部１１が支持部９よりも下側に突出していないので、側枠材１３が脱落防止部１０や被係着部１１に当たらないようにして内装材３を建て込むことができ、内装材３の施工を容易に行うことができると共に内装材３の面内方向（上下方向）及び面外方向（内装材３の表面と垂直な方向）の両方でのガタツキを防止することができるものである。
【００２５】
図４〜６に他の実施の形態を示す。この実施の形態では、支持枠材５を支持枠材本体４１と固定部材４２とで構成したものである。その他の構成は上記実施の形態と同様である。
【００２６】
支持枠材本体４１は、図４（ａ）に示すように、平板状の支持部９の後端部に下方向に突出した引掛け片４６を形成すると共に支持部９に上記と同様の脱落防止片１０と被係着部１１とを備えて横方向に長尺に形成されている。固定部材４２は、図４（ｂ）に示すように、固定部８に前方に向かって突出する略水平の延長片４３を延設し、延長片４３の先端に上方に向かって突出する被引掛け片４４を設けると共に被引掛け片４４の上端に前方に向かって突出する略水平の支え片４５を設けて横方向に短尺（ピース物）に形成している。固定部８は一対のバネ片８ａ、８ａが接合されて断面略へ字状に形成されており、その両端部には断面略Ｕ字状の係止凹部８ｂが形成されている。
【００２７】
そして、この支持枠材５を用いて建物躯体１の屋内側に内装材３を取り付けるにあたって、以下のようにする。まず、複数個の固定部材４２を建物躯体１の長手方向に沿って所定の間隔を空けて取り付ける。ここで、建物躯体１は例えばＣ型鋼で形成されており、下面の開口縁部には屋内外方向で並ぶ一対のリップ片１ａ、１ａが突設されており、図５に示すように、固定部８の係止凹部８ｂ、８ｂを各リップ片１ａ、１ａに差し込むと共にバネ片８ａ、８ａのバネ力で弾性的に固定部８をリップ片１ａ、１ａの間に保持するものである。また、固定部材４２は上下に並ぶ建物躯体１、１…のそれぞれに取り付けられ、その支え片４５が建物躯体１の屋内側に略水平に突出して配置される。
【００２８】
次に、建物躯体１に突設した固定部材４２の被引掛け片４４に支持枠材本体４１の引掛け片４６を引掛けると共に支持枠材本体４１の支持部９を固定部材４２の支え部４５の上に載置することによって、横方向に並設した固定部材４２、４２…で支持枠材本体４１を支持させて架設する。このようにして建物躯体１の屋内側面に複数個の支持枠材５、５…を突設する。
【００２９】
次に、建物躯体１に取り付けた複数の支持枠材５、５…のうち、上下に隣接して対向する支持枠材５、５の間に、側枠材１３を取り付けた内装材３を挿入する。ここで、内装材３の下端面は下側の支持枠材５の支持部９の上面に載せられると共に内装材３の上端面は上側の支持枠材５の支え部４５の下面に当接する。さらに、下側の支持枠材５の脱落防止部１０が内装材３に取り付けた側枠材１３の前片１６の下部の屋内側面及び内装材３の下部の屋内側面に当接することにより、内装材３の下部は横方向の全長に亘って下側の支持枠材５の脱落防止部１０に係止される。このようにして内装材３を建物躯体１の屋内側に略鉛直に立てて配置する。
【００３０】
この後、上記と同様にして支持枠材５の被係着部１１に係止枠材６の係着部１４を係止して支持枠材５に係止枠材６を取り付けることによって、図６に示すように、複数枚の内装材３を建物躯体１の屋内側に取り付けることができる。
【００３１】
図７〜９に他の実施の形態を示す。この実施の形態では、支持枠材５を支持枠材本体４１と固定部材４２とで構成したものである。その他の構成は上記実施の形態と同様である。
【００３２】
支持枠材本体４１は、図７（ａ）に示すように、平板状の支持部９の後端部に上方向に突出した断面略逆Ｊ字状の引掛け片４６を形成すると共に支持部９に上記と同様の脱落防止片１０と被係着部１１とを備えて横方向に長尺に形成されている。また、支持部９の下面には、下方に開口する断面略コ字状の差し込み部材４７が全長に亘って設けられている。固定部材４２は、図７（ｂ）に示すように、固定部８に前方に向かって突出する略鉛直の延長片４３を延設し、延長片４３の先端に横方向に突出する支え片４５を設けると共に支え片４５を折り返し屈曲して上方に向かって突出する略鉛直の被引掛け片４４を設けて横方向に短尺（ピース物）に形成している。固定部８は一対のバネ片８ａ、８ａが接合されて断面略へ字状に形成されており、その両端部には断面略Ｕ字状の係止凹部８ｂが形成されている。
【００３３】
そして、この支持枠材５を用いて柱や縦胴縁の縦方向に長い建物躯体１の屋内側に内装材３を取り付けるにあたって、以下のようにする。まず、複数個の固定部材４２を建物躯体１の長手方向に沿って所定の間隔を空けて取り付ける。ここで、建物躯体１は例えばＣ型鋼で形成されており、側面の開口縁部には屋内外方向で並ぶ一対のリップ片１ａ、１ａが突設されており、固定部８の係止凹部８ｂ、８ｂを各リップ片１ａ、１ａに差し込むと共にバネ片８ａ、８ａのバネ力で弾性的に固定部８をリップ片１ａ、１ａの間に保持するものである。また、固定部材４２は横方向に並ぶ建物躯体１、１…のそれぞれに取り付けられ、図８に示すように、その支え片４５及び被引掛け片４４が建物躯体１の屋内側に略垂直に突出して配置される。
【００３４】
次に、建物躯体１に突設した固定部材４２の被引掛け片４４に支持枠材本体４１の引掛け片４６を引掛けることによって、横方向に並設した固定部材４２、４２…で支持枠材本体４１を支持させて水平に架設する。このようにして建物躯体１の屋内側面に複数個の支持枠材５、５…を突設する。
【００３５】
次に、建物躯体１に取り付けた複数の支持枠材５、５…のうち、上下に隣接して対向する支持枠材５、５の間に、側枠材１３を取り付けた内装材３を挿入する。ここで、内装材３の下端面は下側の支持枠材５の支持部９の上面に載せられると共に内装材３の上端面は上側の支持枠材５の差し込み部材４７の内側に差し込まれる。さらに、下側の支持枠材５の脱落防止部１０が内装材３に取り付けた側枠材１３の前片１６の下部の屋内側面及び内装材３の下部の屋内側面に当接することにより、内装材３の下部は横方向の全長に亘って下側の支持枠材５の脱落防止部１０に係止される。このようにして内装材３を建物躯体１の屋内側に略鉛直に立てて配置する。
【００３６】
この後、上記と同様にして支持枠材５の被係着部１１に係止枠材６の係着部１４を係止して支持枠材５に係止枠材６を取り付けることによって、図９（ａ）（ｂ）に示すように、複数枚の内装材３を建物躯体１の屋内側に取り付けることができる。
【００３７】
図１０〜１３に他の実施の形態を示す。この実施の形態では、梁や母屋などを建物躯体１とし、これに天井板として内装材３を内装材取付具４で取り付けるようにしたものであり、その他の構成は上記実施の形態と同様である。
【００３８】
支持枠材５を支持枠材本体４１と固定部材４２とで構成したものである。支持枠材本体４１は、図７（ａ）のものを横倒しにした形状であって、図１０（ａ）に示すように、平板状の支持部９の上端部に一方の横方向に突出した引掛け片４６を形成すると共に支持部９の下端に横方向に突出する脱落防止片１０を設け、脱落防止片１０の下側に被係着部１１とを備えて横方向に長尺に形成されている。また、支持部９の引掛け片４６と反対側の側面には、側方に開口する断面略コ字状の差し込み部材４７が全長に亘って設けられている。引掛け片４６の先端と被係着部１１の先端には固定部材４２や内装材３が水平動で外れないようにするための折り返し片４８が設けられている。
【００３９】
固定部材４２は、図１０（ｂ）に示すものを横倒しにした形状であって、固定部８に下方に向かって突出する延長片４３を延設し、延長片４３の先端に横方向に突出する支え片４５を設けると共に支え片４５を約４５°折り返し屈曲して横方向に向かって突出する略水平の被引掛け片４４を設けて短尺（ピース物）に形成している。固定部８は一対のバネ片８ａ、８ａが接合されて断面略へ字状に形成されており、その上下両端部には断面略Ｕ字状の係止凹部８ｂが形成されている。また、被引掛け片４４の先端にも水平動で支持枠材本体４１が外れないようにするための折り返し片４８が設けられている。
【００４０】
そして、この支持枠材５を用いて梁などの横方向に長い建物躯体１の下側（屋内側）に内装材３を取り付けるにあたって、以下のようにする。まず、複数個の固定部材４２を建物躯体１の長手方向に沿って所定の間隔を空けて取り付ける。ここで、図１１〜１３に示すように、建物躯体１は例えばＣ型鋼で形成されており、側面の開口縁部には上下方向で並ぶ一対のリップ片１ａ、１ａが突設されており、固定部８の係止凹部８ｂ、８ｂを各リップ片１ａ、１ａに差し込むと共にバネ片８ａ、８ａのバネ力で弾性的に固定部８をリップ片１ａ、１ａの間に保持するものである。また、固定部材４２は横方向に並ぶ建物躯体１、１…のそれぞれに取り付けられ、その支え片４５及び被引掛け片４４が建物躯体１の下側に略水平に突出して配置される。
【００４１】
次に、建物躯体１に突設した固定部材４２の被引掛け片４４に支持枠材本体４１の引掛け片４６を引掛けることによって、横方向に並設した固定部材４２、４２…で支持枠材本体４１を支持させて水平に架設する。このようにして建物躯体１の屋内側面に複数個の支持枠材５、５…を突設する。
【００４２】
次に、建物躯体１に取り付けた複数の支持枠材５、５…のうち、横方向で隣接する対向する支持枠材５、５の間に側枠材１３を取り付けた内装材３を挿入する。ここで、内装材３の一方の側端部は支持枠材５の引掛け片４６と脱落防止片１０との間に差し込まれると共に内装材３の他方の側端部は支持枠材５の差し込み部材４７の内側に差し込まれて係止される。このようにして内装材３を建物躯体１の屋内側に略水平に配置する。また、引掛け片４６と脱落防止片１０との間に差し込まれた内装材３の一方の側端面は支持部９に当接して支持されると共に内装材３の一方の側端部の屋内側面には脱落防止片１０が当接して係止する。
【００４３】
この後、支持枠材５の被係着部１１に係止枠材６の係着部１４を係止して支持枠材５に係止枠材６を取り付け、係止枠材６の係止部１２を内装材３の下面（屋内側面）に当接することよって、複数枚の内装材３を建物躯体１の下側に取り付けて天井を形成することができる。
【図面の簡単な説明】
【００４４】
【図１】本発明の実施の形態の一例を示す断面図である。
【図２】同上の正面図である。
【図３】同上の内装材取付具の一例を示し、（ａ）乃至（ｃ）は一部の斜視図である。
【図４】同上の内装材取付具の支持枠材の一例を示し、（ａ）は一部の斜視図、（ｂ）は斜視図である。
【図５】同上の内装材取付具の支持枠材を取り付けた状態を示す一部の斜視図である。
【図６】同上の他の実施の形態の一例を示す一部の断面図である。
【図７】同上の内装材取付具の支持枠材の一例を示し、（ａ）は一部の斜視図、（ｂ）は斜視図である。
【図８】同上の内装材取付具の支持枠材を取り付けた状態を示す一部の斜視図である。
【図９】同上の他の実施の形態の一例を示し、（ａ）（ｂ）は一部の断面図である。
【図１０】同上の内装材取付具の支持枠材の一例を示し、（ａ）は一部の斜視図、（ｂ）は斜視図である。
【図１１】同上の他の実施の形態の一例を示す一部の断面図である。
【図１２】同上の一部の断面図である。
【図１３】同上の一部の斜視図である。
【図１４】従来例を示す一部の断面図である。
【符号の説明】
【００４５】
１  建物躯体
３  内装材
４  内装材取付具
５  支持枠材
６  係止枠材
８  固定部
９  支持部
１０  脱落防止部
１１  被係着部
１２  係止部
１３  側枠材
【図１】
2007303075.tif 000003
【図２】
2007303075.tif 000004
【図３】
2007303075.tif 000005
【図４】
2007303075.tif 000006
【図５】
2007303075.tif 000007
【図６】
2007303075.tif 000008
【図７】
2007303075.tif 000009
【図８】
2007303075.tif 000010
【図９】
2007303075.tif 000011
【図１０】
2007303075.tif 000012
【図１１】
2007303075.tif 000013
【図１２】
2007303075.tif 000014
【図１３】
2007303075.tif 000015
【図１４】
2007303075.tif 000016